(57)【要約】
【課題】    雄ネジ部材と雌ネジとの螺合によって、扉の閉鎖状態に固定することが可能な配電盤収納ボックスにおいて、戸当たりの緩衝部材の厚みに制約されずに、雌ネジの位置の設計を自由に行うことができる。
【解決手段】  本願考案に係る配電盤収納ボックスでは、戸当たり６の、扉との対応面６４には、下方へ向けてすり鉢状に後退した案内部６５が形成され、少なくとも案内部６５の表面は金属にて形成されている。上記の雌ネジ４は、当該案内部６５の最深部に形成されている。戸当たり６の上記対応面６４には、横方向について、案内部６５と異なる位置に、戸当たり６とは別体に形成された緩衝部材７が取り付けられている。
【選択図】          図５
0003100911.tif 000002
【実用新案登録請求の範囲】
【請求項１】
配電盤を収容するボックス本体と、上方に開くことによってボックス本体上方を開放することが可能な扉と、ボックス本体に設けられた雌ネジと、扉側に配置され且つ当該雌ネジへ螺合することによりボックス本体を閉鎖した状態に固定することが可能な雄ネジ部材とを備えた配電盤収納ボックスにおいて、
ボックス本体には、上記扉の戸当たりが備えられ、
戸当たりの、扉に対する対応面には、下方へ向けてすり鉢状に後退した案内部が形成され、少なくとも案内部の表面は金属にて形成され、上記の雌ネジは、当該案内部の最深部に形成され、
戸当たりの上記対応面には、横方向について、案内部と異なる位置に、戸当たりとは別体に形成された緩衝部材が取り付けられ、
緩衝部材は、扉閉鎖時の衝撃を緩和する弾性体であり、上記対応面において、案内部よりも、上方へ突出するものであることを特徴とする配電盤収納ボックス。
【請求項２】
上記の戸当たりは、ボックス本体内部に固定され上方に伸びる縦板部と、縦板部の上端に設けられ横方向に伸びる横板部とを有するものであり、
横板部の上面が上記の対応面を形成し、横板部には、横方向について案内部と異なる位置へ、上下に貫通する貫通孔が設けられ、
上記の緩衝部材は、基盤と、基盤の下方に位置し下方に向けて先細りとなっている錐状部と、基盤と錐状部とを繋ぐ首部とを備え、錘状部の最大径部と基盤の外径の夫々は、上記貫通孔の内径よりも大きく、首部の外径は、錘状部の最大径部及び基盤の外径よりも小さいものであり、
上記の緩衝部材の貫通孔への取り付けは、上方から貫通孔へ、緩衝部材の錘状部を、その先端から押し込み、緩衝部材の首部を貫通孔内に嵌めることによりなされたことを特徴とする請求項１記載の配電盤収納ボックス。
【請求項３】
配電盤を収容するボックス本体と、上方に開くことによってボックス本体を開放することが可能な外扉と、ボックス本体について外扉の内側に設けられ上方に開くことが可能な内扉と、ボックス本体に設けられた雌ネジと、内扉に配置され且つ当該雌ネジへ螺合することによりボックス本体を閉鎖した状態に固定することが可能な雄ネジ部材とを備えた配電盤収納ボックスにおいて、
ボックス本体には、上記内扉の戸当たりが備えられ、戸当たりは、ボックス本体内部に固定され上方に伸びる縦板部と、縦板部の上端に設けられ横方向に伸びる横板部とを有するものであり、
縦板部は、ボックス本体の内部に固定された基体と、基体と別体に形成された支柱部とを備え、上記の横板部は、支柱部の先端に設けられたものであり、支柱部は、ボルト締めにて基体に対し、上下の取り付け位置を変更可能に取り付けられ、当該変更にて、内扉と戸当たりの当接位置を調整することが可能であり、
戸当たりの横板部の上面が、内扉に対する対応面を構成し、当該対応面には、下方へ向けてすり鉢状に後退した案内部が形成され、少なくとも案内部の表面は金属にて形成され、上記の雌ネジは、当該案内部の最深部に形成され、
戸当たりの上記横板部には、横方向について、案内部よりも縦板部寄りに、上下に貫通する貫通孔が設けられ、貫通孔には、戸当たりとは別体に形成され扉閉鎖時の衝撃を緩和する弾性体でできた緩衝部材が取り付けられ、
上記の緩衝部材は、基盤と、基盤の下方に位置し下方に向けて先細りとなっている錐状部と、基盤と錐状部とを繋ぐ首部とを備え、錘状部の最大径部と基盤の外径の夫々は、上記貫通孔の内径よりも大きく、首部の外径は、錘状部の最大径部及び基盤の外径よりも小さいものであり、
上記の緩衝部材の貫通孔への取り付けは、上方から貫通孔へ、緩衝部材の錘状部を、その先端から押し込み、緩衝部材の首部を貫通孔内に嵌めることによりなされ、取り付けられた緩衝部材の基盤は、上記対応面において、案内部よりも、上方へ突出するものであることを特徴とする配電盤収納ボックス。
【考案の詳細な説明】
【技術分野】
【０００１】
本願考案は、配電盤収納ボックスの改良に関する。
【背景技術】
【０００２】
配電盤収納ボックスは、配電盤を収容する箱状のボックス本体に、当該ボックス本体を開閉する、外扉と内扉の２重の扉を取り付けたものが見られる。
このようなボックス本体には、内扉の戸当たりが設けられており、戸当たりは、内扉閉鎖時内扉とボックス本体との接触による衝撃を緩和するゴム製の緩衝部材が設けられている。
そして、上記の内扉が不意に開かないように、内扉に当該内扉を貫通するビス（雄ネジ部材）が取り付けられ、上記の緩衝部材を支持する戸当たりにこのビスと螺合する雌ネジが設けられている。緩衝部材は、雌ネジの上方に位置する。この緩衝部材には、ビスを雌ネジに案内する、すり鉢状の案内部（ガイド孔）が形成されたものが見受けられる（実用新案登録第３０４３４５０号）。
【０００３】
上記において、先ず第１の問題として、緩衝のために設定された緩衝部材の厚みに制約され、雄ネジ部材と螺合する雌ネジの位置などの設計を自由に行うことはできなかった。
第２の問題として、上述の通り、緩衝部材は、衝撃を緩衝するクッションとしての機能を発揮するため、上記の通りゴムという弾性体で形成されており、雄ネジ部材（ビス）の案内時、雄ネジ部材の先端との間の摩擦抵抗が大きく、円滑な案内を行えるものではなかった。このため、緩衝部材にゴムよりも硬質の素材を採用することも考えられるが、その場合、弾力性の低下によって、衝撃の緩衝能力が落ち、扉閉鎖時に、十分な衝撃の緩和が行えず、大きな騒音を招く。
第３の問題として、長期の使用によって、緩衝部材に消耗や劣化が生じると、緩衝能力のみならず、直ちに、雄ネジ部材の案内にも支障が生じる。
第４の問題として、案内部にて、雄ネジ部材を案内させるため、緩衝部は、雌ネジの上方に、雌ネジと同心に配される。このため、緩衝部材取り付けのための構成を込み入ったものとすることはできず、接着剤で戸当たりに緩衝部材を貼り付ける方法が採られた。ところが、このような方法では、使用によって緩衝部材が消耗した場合に、簡単に交換するという訳にはいかない。また、製造時においても、緩衝部材の寸法が適切なものでなかった場合に、適正なものに簡単に付け替えるという訳にはいかない。
【考案の開示】
【考案が解決しようとする課題】
【０００４】
本願の第１〜第３の考案は、緩衝部材の緩衝能力を低下させずに、上記第１〜第３の問題の解決を図るものであり、これに加えて、本願の第２及び第３の考案は、上記第４の問題の解決を図るものである。
【課題を解決するための手段】
【０００５】
本願第１の考案に係る配電盤収納ボックスは、配電盤を収容するボックス本体１と、上方に開くことによってボックス本体１上方を開放することが可能な扉と、ボックス本体に設けられた雌ネジ４と、扉側に配置され且つ当該雌ネジ４へ螺合することによりボックス本体１を閉鎖した状態に固定することが可能な雄ネジ部材５とを備えたものであり、次の構成を採る。
即ち、ボックス本体１には、上記扉の戸当たり６が備えられている。戸当たり６の、扉に対する対応面６４には、下方へ向けてすり鉢状に後退した案内部６５が形成され、少なくとも案内部６５の表面は金属にて形成されている。上記の雌ネジ４は、当該案内部６５の最深部に形成されている。戸当たり６の上記対応面６４には、横方向について、案内部６５と異なる位置に、戸当たり６とは別体に形成された緩衝部材７が取り付けられている。緩衝部材７は、扉閉鎖時の衝撃を緩和する弾性体であり、上記対応面６４において、案内部６５よりも、上方へ突出するものである。
尚、本明細書及び実用新案登録請求の範囲で用いる「上方」や「下方」といった上下を示す語は、折り畳み扉の各構成間の位置関係を説明するため、便宜上用いるものであり、重力の作用する方向を基準とするものではない（折り畳み扉と外部との関係を規定するものではない）。また、「横方向」とは、上記の上下方向と交差する方向をいう。例えば、ここでいう上下方向が鉛直方向（重力の作用する方向）である場合は、横方向とは、水平方向となる。
【０００６】
本願第２の考案に係る配電盤収納ボックスでは、上記本願第１の考案に係る配電盤収納ボックスにあって、上記の戸当たり６は、ボックス本体１内部に固定され上方に伸びる縦板部６０と、縦板部６０の上端に設けられ横方向に伸びる横板部６３とを有する。横板部６３の上面が上記の対応面６４を形成する。横板部６３には、横方向について案内部６５と異なる位置へ、上下に貫通する貫通孔６６が設けられている。上記の緩衝部材７は、基盤７０と、基盤７０の下方に位置し下方に向けて先細りとなっている錐状部７２と、基盤７０と錐状部７２とを繋ぐ首部７１とを備える。錘状部７２の最大径部７３と基盤７０の外径の夫々は、上記貫通孔６６の内径よりも大きく、首部７１の外径は、錘状部の最大径部及び基盤の外径よりも小さい。上記の緩衝部材７の貫通孔６６への取り付けは、上方から貫通孔６６へ、緩衝部材７の錘状部７２を、その先端から押し込み、緩衝部材７の首部７１を貫通孔６６内に嵌めることによりなされたものである。
【０００７】
本願第３の考案に係る配電盤収納ボックスは、配電盤を収容するボックス本体１と、上方に開くことによってボックス本体１を開放することが可能な外扉２と、ボックス本体１について外扉２の内側に設けられ上方に開くことが可能な内扉３と、ボックス本体１に設けられた雌ネジ４と、内扉３に配置され且つ当該雌ネジ４へ螺合することによりボックス本体１を閉鎖した状態に固定することが可能な雄ネジ部材５とを備えたものであり、次の構成を採る。
即ち、ボックス本体１には、上記内扉の戸当たり６が備えられ、戸当たり６は、ボックス本体内部に固定され上方に伸びる縦板部６０と、縦板部６０の上端に設けられ横方向に伸びる横板部６３とを有する。縦板部６０は、ボックス本体の内部に固定された基体６１と、基体６１と別体に形成された支柱部６２とを備える。上記の横板部６３は、支柱部６２の先端に設けられたものである。支柱部６２は、ボルト締めにて基体６１に対し、上下の取り付け位置を変更可能に取り付けられ、当該変更にて、内扉３と戸当たり６の当接位置を調整することが可能である。戸当たり６の横板部６３の上面が、内扉３に対する対応面６４を構成する。当該対応面６４には、下方へ向けてすり鉢状に後退した案内部６５が形成されている。少なくとも案内部６５の表面は金属にて形成されており、上記の雌ネジ４は、当該案内部６５の最深部に形成されている。戸当たり６の上記横板部６３には、横方向について、案内部６５よりも縦板部６０寄りに、上下に貫通する貫通孔６６が設けられている。貫通孔６６には、戸当たり６とは別体に形成され扉閉鎖時の衝撃を緩和する弾性体でできた緩衝部材７が取り付けられている。上記の緩衝部材７は、基盤７０と、基盤７０の下方に位置し下方に向けて先細りとなっている錐状部７２と、基盤と錐状部とを繋ぐ首部７１とを備える。錘状部７２の最大径部７３と基盤７０の外径の夫々は、上記貫通孔６６の内径よりも大きく、首部７１の外径は、錘状部７２の最大径部７３及び基盤７０の外径よりも小さいものである。上記の緩衝部材７の貫通孔６６への取り付けは、上方から貫通孔６６へ、緩衝部材７の錘状部７２を、その先端から押し込み、緩衝部材７の首部７１を貫通孔６６内に嵌めることによりなされ、取り付けられた緩衝部材７の基盤７０は、上記対応面６４において、案内部６５よりも、上方へ突出する。
【考案の効果】
【０００８】
本願の第１〜第３の発明にあっては、緩衝部材を案内部と独立したものとし、戸当たりの扉との対応面において、緩衝部材の配設位置を、横方向について、案内部と異なる位置に配設することにより、設計時、緩衝部材の存在にて案内部や雌ネジの位置が制限されるということがない。即ち、緩衝部材の厚みに制約されずに、雄ネジ部材と螺合する雌ネジの位置の設計を自由に行うことができる。また、従来、緩衝部材に案内部を形成していたため、案内部が雄ネジ部材の案内のために必要とする表面の円滑さを十分に確保することができなかったが、緩衝部材を案内部と別体にし、案内部を戸当たりの当接部に設けた凹みとして形成し、その表面を金属とすることにより、雄ネジ部材との摩擦抵抗を抑制した。また、案内部の少なくとも表面を金属にて形成することにより、弾性体で形成された緩衝部材に形成した場合に比して、耐久性を著しく向上し、特に、緩衝部材の消耗が、このような案内部の耐久性に影響しない。
また、本願第２及び第３の考案の実施によって、緩衝部材は、横方向について案内部と異なる位置に設けられた貫通孔に、嵌めることができ、緩衝部材の交換が容易に行え、メイテナンス性を向上し、一旦取り付けた緩衝部材の変更を円滑に行うことができる。
【考案を実施するための最良の形態】
【０００９】
以下、図面に基づき本願考案の実施の形態について説明する。
図１〜図５へ本願考案の一実施の形態を示す。図１は、本願考案に係る配電盤収納ボックスの縦断面図である。図２は、図１に示す配電盤収納ボックスの一部切欠要部左側面図である。図３（Ａ）は図１に示す配電盤収納ボックスに用いられた戸当たり６の正面図であり、図３（Ｂ）はその背面図である。図４（Ａ）は図３に示す戸当たり６の右側面図であり、図４（Ｂ）はその平面図であり、図４（Ｃ）はその底面図である。図５は、図３（Ａ）のＡ−Ａ断面図である。
尚、図１において付すべきハッチングは、図面の煩雑を避けるために、省略してある。
各図において、説明の便宜上、Ｕは上方を、Ｓは下方を、Ｆは前方を、Ｂは後方を、Ｌは左方を、Ｒは右方を、夫々示している。
【００１０】
図１に示す通り、本願考案に係る配電盤収納ボックスは、配電盤を収容するボックス本体１と、上方に開くことによってボックス本体１を開放することが可能な外扉２と、ボックス本体１について外扉２の内側に設けられ上方に開くことが可能な内扉３と、ボックス本体１に設けられた雌ネジ４と、内扉３に配置され且つ当該雌ネジ４へ螺合することによりボックス本体１を閉鎖した状態に固定することが可能な雄ネジ部材５とを備える。
配電盤は、ボックス本体１内において、内扉３の内側Ｎ（下方）に配置されるが、図面の煩雑を避けるため、図示を省略する（図１）。
各部の構成について、以下詳述する。
【００１１】
上記の、ボックス本体１の内部には、上記内扉３の戸当たり６と、内扉３の支持体８が備えられている。ボックス本体１の内部底面１０には、上記の戸当たり６と支持体８とを取り付ける、取付板１１が設けられている。
支持体８は、内扉３を回動可能に支持する。即ち、内扉３は、その開閉に際して、支持体８の先端（上端）を中心として上方に向けて（Ｖ方向へ）回転させることにより、内扉２の内側を開放することができる。上記の外扉２も、ボックス本体１に軸止されており、上方に向けて（Ｗ方向に）回転させることによって、本ボックス本体１上部を開放することができる。外扉２を開放した状態において、内扉３の開閉を行うことができる。
【００１２】
図２〜図５へ示す通り、戸当たり６は、ボックス本体１内部に固定され上方に伸びる縦板部６０と、縦板部６０の上端に設けられ横方向に伸びる横板部６３とを有する。尚、図２において、ボックス本体１の取付板１１以外の構成は、省略してある。
縦板部６０は、ボックス本体の内部に固定された基体６１と、基体６１と別体に形成された支柱部６２とを備える。上記の横板部６３は、支柱部６２の先端に設けられたものである。支柱部６２は、ボルト６７締めにて基体６１に対し、上下の取り付け位置を変更可能に取り付けられ、当該変更にて、内扉３と戸当たり６の（上下の）当接位置を調整することが可能である。即ち、図３（Ａ）に示す支柱部６２に設けられたネジ穴（３つの丸で示されている。）の何れか２つに、図３（Ｂ）に示す基体６１の上下に伸びる長孔を通じて、ボルト６７，６７を螺合することにより、基体６１に支柱部６２を取り付ける。当該ボルト６７，６７を緩め、基体６１に対し支柱部６２を上下にスライドさせて、上記の位置調整を行うことができる。この調整後再びボルト６７，６７を締付ければよい。
【００１３】
戸当たり６の横板部６３の上面が、内扉３に対する対応面６４を構成する。
図５へ示す通り、当該対応面６４には、下方へ向けてすり鉢状に後退した案内部６５が形成されている。案内部６５の少なくとも表面は金属にて形成されており、上記の雌ネジ４は、当該案内部６５の最深部に形成されている。
図１及び図２へ示す通り、上記雄ネジ部材５は、内扉３を上下に貫通し、先端を内扉３の下方（内側）に突出させる。雄ネジ部材５の座面を備えた頭部５０は、内扉３の外側に位置する。この頭部５０の外周面に、ローレットを形成しておけば、雄ネジ部材５を雌ネジ４へ螺合する際、指掛りとなって便利である。
【００１４】
戸当たり６の上記横板部６３には、横方向について、案内部６５よりも縦板部６０寄りに、上下に貫通する貫通孔６６が設けられている。貫通孔６６には、戸当たり６とは別体に形成され扉閉鎖時の衝撃を緩和する、弾性体でできた緩衝部材７が、取り付けられている。
【００１５】
上記の緩衝部材７は、基盤７０と、基盤７０の下方に位置し下方に向けて先細りとなっている錐状部７２と、基盤７０と錐状部７２とを繋ぐ首部７１とを備える。錘状部７２の最大径部７３と基盤７０の外径の夫々は、上記貫通孔６６の内径よりも大きく、首部７１の外径は、錘状部７２の最大径部７３及び基盤７０の外径よりも小さいものである。
緩衝部材を構成する弾性体には、ゴムやウレタンなどの衝撃吸収に優れたものを採用する。
【００１６】
上記の緩衝部材７の貫通孔６６への取り付けは、上方から貫通孔６６へ、緩衝部材７の錘状部７２を、その先端から押し込み、緩衝部材７の首部７１を貫通孔６６内に嵌めることによりなされ、取り付けられた緩衝部材７の基盤７０は、上記対応面６４において、案内部６５よりも、上方へ突出する。
【００１７】
この実施の形態において、上記の横板部６３は、基部６３ａと、基部６３ａの先に設けられた腰部６３ｂと、腰部６３ｂの先に設けられた先端部６３ｃとにて構成されている。基部６３ａは、縦板部６０（支柱部６２）先端から横方向に伸びるものであり、腰部６３ｂは基部６３ａ先端から下方に向けて伸びるものであり、先端部６３ｃは、腰部６３ｂの先端から横方向に伸びる。従って、この実施の形態において、内扉３に対する対応面６４は、基部６３ａの上面６４ａと、先端部６３ｃの上面６４ｃとにて構成され、基部６３ａの上面６４ａは、先端部６３ｃの上面６４ｃよりも、上方に位置する。上記の貫通孔６６は、基部６３ａに形成されており、緩衝部材７の基盤７０は、この基部６３ａの上面６４ｃに配置される。一方、案内部６５は、先端部６３ｃの上面６４ｃに形成されている。
【００１８】
この横板部６３については、図６〜図８へ示す通り、上記の先端部６３ｃの上面６４ｃから上方に突出する隆起部６８を形成し、当該隆起部６８に、案内部６５を形成するものとしても実施可能である。この隆起部６８の上端は、緩衝部材７（の基盤７０上端）よりも下方に位置する。
【００１９】
また、図９〜１１へ示す通り、横板部６３の上面（対応面６４）は、基部から先端部まで、同じ高さの一つの面にて構成され、上記の腰部６３ｂを備えないものとして実施することも可能である。
【図面の簡単な説明】
【００２０】
【図１】本願考案の一実施の形態に係る配電盤収納ボックスの縦断面図である。
【図２】図２は、図１に示す配電盤収納ボックスの一部切欠要部左側面図である。
【図３】（Ａ）は図１に示す配電盤収納ボックスに用いられた戸当たり６の正面図であり、（Ｂ）はその背面図である。
【図４】（Ａ）は図３に示す戸当たり６の右側面図であり、（Ｂ）はその平面図であり、（Ｃ）はその底面図である。
【図５】図３（Ａ）のＡ−Ａ断面図である。
【図６】戸当たり６の他の実施の形態を示す右側面図である。
【図７】図６に示す戸当たり６の縦断面図である。
【図８】図６に示す戸当たり６の使用状態を示す一部切欠左側面図である。
【図９】戸当たり６の更に他の実施の実施の形態を示す右側面図である。
【図１０】図９に示す戸当たり６の縦断面図である。
【図１１】図９に示す戸当たり６の使用状態を示す一部切欠左側面図である。
【符号の説明】
【００２１】
１    ボックス本体
２    外扉
３    内扉
４    雌ネジ
５    雄ネジ部材
６    戸当たり
７    緩衝部材
６０    縦板部
６１    基体
６２    支柱部
６３    横板部
６４    対応面
６５    案内部
６６    貫通孔
７０    基盤
７１    首部
７２    錐状部
７３    （錘状部の）最大径部
【図１】
0003100911.tif 000003
【図２】
0003100911.tif 000004
【図３】
0003100911.tif 000005
【図４】
0003100911.tif 000006
【図５】
0003100911.tif 000007
【図６】
0003100911.tif 000008
【図７】
0003100911.tif 000009
【図８】
0003100911.tif 000010
【図９】
0003100911.tif 000011
【図１０】
0003100911.tif 000012
【図１１】
0003100911.tif 000013